(57)【特許請求の範囲】
【請求項１】
天井からのコードによって吊り下げられる照明器具本体に対して、前記コードを挿通した状態でそのコードを中心軸として回動可能に取り付けられ、中心部に前記コードが挿通される取付孔と、この取付孔を水平方向に挟んだ位置に設けられた一対の矩形孔とを有するカップリング部と、
前記カップリング部の上端側に対して、前記コードと直交する水平面内の所定方向にスライド可能に嵌合され、中心部から偏心した位置に前記コードが挿通されるコード挿通孔と、前記一対の矩形孔にスライド移動可能な状態で挿入係止される一対の係止片とを有するキャップ部と、
前記一対の矩形孔および一対の係止片の前記所定方向に沿った面に設けられた、前記所定方向に所定間隔で凹部と凸部とが係合するラチェット構造からなり、前記キャップ部の前記カップリング部に対する前記所定方向へのスライド停止位置を決定するスライド停止位置決定手段とを備えた
ことを特徴とする照明器具の傾き補正装置。
【請求項２】
前記凸部は、前記係止片にＵ字状に切欠形成されてなる可撓性を有する舌片部に設けられている
ことを特徴とする請求項１記載の照明器具の傾き補正装置。
【請求項３】
前記照明器具本体と前記取付孔との間に配置され、前記取付孔の前記照明器具本体側における周縁部と接する環状の波座金をさらに備えた
ことを特徴とする請求項１又は２記載の照明器具の傾き補正装置。
【請求項４】
前記カップリング部は、前記取付孔の内周面に形成されたネジ部を有し、
前記ネジ部が前記照明器具本体に突設された管状部材の外周面に形成されたネジ部に螺合するとともに、前記波座金の弾性力によって前記軸方向上方に付勢されることにより、前記照明器具本体に回動可能に取り付けられている
ことを特徴とする請求項３記載の照明器具の傾き補正装置。
【請求項５】
前記カップリング部およびキャップ部は、樹脂成形部材からなる
ことを特徴とする請求項１〜４のいずれか１項記載の照明器具の傾き補正装置。
【請求項６】
天井からのコードによって吊り下げられる照明器具本体に対して、波座金を介して、前記コードを挿通した状態でそのコードを中心軸として回動可能に取り付けられるカップリング部と、
前記コードが挿通されるコード挿通孔を有し、前記カップリング部の上端側に対して、前記コードと直交する水平面内の所定方向にスライド可能に嵌合されて前記コードの前記照明器具本体に対する軸中心をずらした状態とすることが可能なキャップ部とを備えた
ことを特徴とする照明器具の傾き補正装置。
【発明の詳細な説明】
【技術分野】
【０００１】
この発明は、天井からコードによって吊り下げられるタイプの照明器具の傾きを補正する照明器具の傾き補正装置に関する。
【背景技術】
【０００２】
従来より、天井からコードによって吊り下げられるタイプの照明器具（例えば、特許文献１（第２−７頁、第１−５図）参照）が知られている。この照明器具は、天井より垂下される線状部材と、この線状部材によって吊り下げられランプが取り付けられる本体と、ランプを覆い本体に取り付けられるセード（笠部）とを備えて構成される。
【０００３】
また、照明器具は、本体の天板部に形成されたこの照明器具を吊り下げたときの重量中心部分を通過する長孔と、本体の内側に長孔に沿って複数設けられた当接部と、長孔を貫通する線状部材の下端部分に設けられた保持部とを有する。そして、この保持部が、複数の当接部の一つに当接して本体を吊り下げることで、本体のバランス（セードの傾き）を調整する。
【先行技術文献】
【特許文献】
【０００４】
【特許文献１】特開２００４−２０００８５号公報
【発明の概要】
【発明が解決しようとする課題】
【０００５】
しかしながら、上記特許文献１に開示されている照明器具では、本体に形成された長孔に沿って設けられた当接部と、線状部材の下端部分に取り付けられた保持部とが当接することで本体を吊り下げ、この保持部の位置を適宜変更してそのバランスを調整する構成である。このため、当接部と保持部との大きさごとのピッチでしかバランスの調整を行うことができず、さらに細かなピッチでのバランス調整を行うことができないという問題がある。
【０００６】
この発明は、上述した従来技術による問題点を解消するため、照明器具の傾きのバランス調整を細かなピッチで行うことができる照明器具の傾き補正装置を提供することを目的とする。
【課題を解決するための手段】
【０００７】
上述した課題を解決し、目的を達成するため、この発明にかかる照明器具の傾き補正装置は、天井からのコードによって吊り下げられる照明器具本体に対して、前記コードを挿通した状態でそのコードを中心軸として回動可能に取り付けられるカップリング部と、前記カップリング部の上端側に対して、前記コードと直交する水平面内の所定方向にスライド可能に嵌合されるキャップ部と、前記キャップ部の前記カップリング部に対する前記所定方向へのスライド停止位置を決定するスライド停止位置決定手段とを備えたことを特徴とする。
【０００８】
前記カップリング部は、例えば中心部に前記コードが挿通される取付孔と、この取付孔を水平方向に挟んだ位置に設けられた一対の矩形孔とを有し、前記キャップ部は、例えば中心部から偏心した位置に前記コードが挿通されるコード挿通孔と、前記一対の矩形孔にスライド移動可能な状態で挿入係止される一対の係止片とを有し、前記スライド停止位置決定手段は、例えば前記一対の矩形孔および一対の係止片の前記所定方向に沿った面に設けられた、前記所定方向に所定間隔で凹部と凸部とが係合するラチェット構造からなる構成とされていてもよい。
【０００９】
なお、前記凸部は、例えば前記係止片にＵ字状に切欠形成されてなる可撓性を有する舌片部に設けられている構成とされていてもよい。
【００１０】
この発明にかかる照明器具の傾き補正装置においては、例えば前記照明器具本体と前記取付孔との間に配置され、前記取付孔の前記照明器具本体側における周縁部と接する環状の波座金をさらに備えた構成とされていてもよい。
【００１１】
また、前記カップリング部は、例えば前記取付孔の内周面に形成されたネジ部を有し、前記ネジ部が前記照明器具本体に突設された管状部材の外周面に形成されたネジ部に螺合するとともに、前記波座金の弾性力によって前記軸方向上方に付勢されることにより、前記照明器具本体に回動可能に取り付けられている構成とされていてもよい。
【００１２】
前記カップリング部およびキャップ部は、例えば樹脂成形部材からなる構成とされていてもよい。
【発明の効果】
【００１３】
この発明によれば、照明器具の傾きのバランス調整を細かなピッチで行うことができる照明器具の傾き補正装置を提供することができる。
【図面の簡単な説明】
【００１４】
【図１】この発明の一実施形態にかかる照明器具の傾き補正装置を説明するための分解斜視図である。
【図２】同傾き補正装置のカップリング部を説明するための説明図である。
【図３】同傾き補正装置のキャップ部を説明するための説明図である。
【図４】同傾き補正装置の要部構造を説明するための一部断面図である。
【図５】同傾き補正装置の動作状態を説明するための説明図である。
【発明を実施するための形態】
【００１５】
以下に、添付の図面を参照して、この発明にかかる照明器具の傾き補正装置の好適な実施の形態を詳細に説明する。
【００１６】
図１は、この発明の一実施形態にかかる照明器具の傾き補正装置を説明するための分解斜視図、図２はこの傾き補正装置のカップリング部を説明するための説明図、図３はこの傾き補正装置のキャップ部を説明するための説明図である。また、図４は、この傾き補正装置の要部構造を説明するための一部断面図、図５はこの傾き補正装置の動作状態を説明するための説明図である。
【００１７】
この実施形態にかかる照明器具の傾き補正装置１０は、図１に示すように、図示しないランプを覆うように照明ユニット１（図４参照、以下同じ。）に取り付けられたセード９を有する照明器具本体４に対して取り付けられるカップリング部２０と、このカップリング部２０の上端側に取り付けられるキャップ部３０とを備えて構成されている。
【００１８】
なお、この傾き補正装置１０が適用される照明器具本体４は、天井（図示せず）からの電気配線のコード８によって天井に吊り下げられるタイプのものである。したがって、従来技術のもののように、別途天井に照明器具本体を吊り下げるための線状部材等は不要な構造となっている。また、この傾き補正装置１０は、カップリング部２０およびキャップ部３０ともに、例えば樹脂成形部材からなる。このため、別途照明器具本体４に孔開け加工等を施す必要がなく、非常に安価に製造することができるものである。
【００１９】
カップリング部２０は、照明器具本体４に対して、コード８を挿通した状態でそのコード８を中心軸として回動可能に取り付けられている。一方、キャップ部３０は、照明器具本体４に取り付けられたカップリング部２０の上端側に対して、コード８と直交する水平面内の所定方向にスライド可能に嵌合される。カップリング部２０は、図１および図２に示すように、例えば円筒状の周壁部２６と、この周壁部２６の上方を、キャップ部３０が収容される凹部を形成した状態で塞ぐ上壁部２３とを有する。
【００２０】
このカップリング部２０は、例えば種々の照明器具本体４に対して取り付け可能となるように、汎用性の高い大きさや寸法をもって、所定規格にて形成されている。また、カップリング部２０は、テーパ状に形成されている。なお、周壁部２６の外周面には、例えば所定のシボパターンが形成されている。
【００２１】
また、カップリング部２０の上壁部２３の中心部には、コード８が挿通される取付孔２１を有する。図２に示すように、取付孔２１の周縁部２１ａは、上壁部２３の下面から下方に突出し、その内面にネジ部２５が形成されている。照明器具本体４の上端には、コード８が挿通されるパイプ７が突設されている。このパイプ７の外周面にもネジ部７ａが形成されている。
【００２２】
カップリング部２０は、ネジ部２５が、パイプ７のネジ部７ａと螺合することによって、セード９が取り付けられた照明ユニット１に直接取り付けられる構造となっている。なお、カップリング部２０の取付孔２１の周縁部２１ａ（図２（ｂ）参照、以下同じ。）は、取付時には図４に示すように、その下端が波座金（ウェーブワッシャー）５を介してセード９の取付ナット６に接している。
【００２３】
したがって、カップリング部２０は、上述したようにネジ部２５および７ａによってパイプ７と螺合するのみならず、この波座金５の弾性力によってさらに軸方向上方に向かって付勢された状態で照明ユニット１に取り付けられている。これにより、波座金５がない場合と比べて、より一層バランスの非調整時においてカップリング部２０が不用意に回動することなく、反対に調整時には回転方向へ任意に回動させて容易に停止させることが可能な構造となっている。
【００２４】
カップリング部２０の上壁部２３には、さらに、図２（ａ）に示すように、取付孔２１を水平方向に挟んだ位置に一対の矩形孔２２が設けられている。これら一対の矩形孔２２は、上記水平面内の所定方向がその開口の長手方向となるように形成されている。また、一対の矩形孔２２には、取付孔２１を挟んだ矩形孔２２同士の対向方向外側内壁面２２ａにおける長手方向中心近傍位置に、後述するスライド停止位置決定手段の一部を構成する溝状の凹部２４が、それぞれ複数（ここでは、４つずつ）長手方向に沿った蛇腹状に形成されている。
【００２５】
一方、キャップ部３０は、図１および図３に示すように、カップリング部２０の上壁部２３側（すなわち、上端側）に嵌るスライド移動可能な円板状の樹脂成形部材からなる。キャップ部３０は、図３（ｂ）に示すように、円板状に成形されたキャップ本体部３３を有し、このキャップ本体部３３には、コード８が摺接しながら挿通されるコード挿通孔３１が、その中心部から偏心した位置に軸方向に貫通して設けられている。
【００２６】
コード挿通孔３１は、図３（ｃ）に示すように、キャップ本体部３３から上方に立設した円筒状の周壁部３６の内側にて、その内周面によってコード８の外周面と摺接するような大きさの内径を備えて構成されている。また、キャップ本体部３３の下面には、カップリング部２０に設けられた一対の矩形孔２２と嵌合時に対応する位置の下方に延出形成された一対の係止片３２が設けられている。これら一対の係止片３２は、一対の矩形孔２２に対して、カップリング部２０に嵌合されたときにスライド移動可能な状態で挿入係止される。
【００２７】
具体的には、キャップ部３０は、カップリング部２０に対して、一対の係止片３２の先端側における係止片３２の対向方向外側に突出形成された係止突起部３５（図３（ｃ）等参照、以下同じ。）が、一対の矩形孔２２の同じく対向方向外側の下方の周縁部にそれぞれ係合することでスライド可能に嵌合される。なお、キャップ本体部３３の上面には、図３（ｂ）に示すように、スライド方向を表す三角形のマーク３７が形成され、これによりスライド方向を視認可能な構造となっている。また、キャップ本体部３３は、カップリング部２０への嵌合後にスライド移動を可能とするために、上方から見て円形ではなく、カップリング部２０の凹部の領域よりも小さな外径を有する楕円形に形成されている。
【００２８】
一対の係止片３２には、図３（ａ）および図３（ｃ）に示すように、スライド停止位置決定手段の他の一部を構成する係止片３２同士の対向方向外側の外壁面に形成された凸部３４がそれぞれ設けられている。この凸部３４は、一対の矩形孔２２に形成された各凹部２４に嵌る形状で形成されている。
【００２９】
なお、各凸部３４は、一対の係止片３２が対向方向内側に可撓性を有する構造である場合には、上述したように係止片３２の対向方向外側の外壁面に直接形成されればよいが、ここではキャップ部３０のスライド移動をより容易にするために、具体的には次のように形成されている。すなわち、凸部３４は、図３（ａ）に示すように、一対の係止片３２にＵ字状に切欠形成されてなる可撓性を有する舌片部３２ａの外壁面にそれぞれ形成されている。
【００３０】
これにより、キャップ部３０をスライド移動する際に、一対の矩形孔２２および一対の係止片３２の係止状態は維持したまま、一対の矩形孔２２の凹部２４と係合状態にある凸部３４が、舌片部３２ａの弾性で上述した対向方向内側に適度に変位する。また、再度凹部２４と係合するときは、舌片部３２ａの復元力で元の位置に戻るので確実に凹部２４と係合する。
【００３１】
このため、バランスの調整時にキャップ部３０の操作に必要な力を少なくすることができるとともに、適度なクリック感をもたせて確実にキャップ部３０のカップリング部２０に対するスライド停止位置を定めることができる。このように、これら凹部２４および凸部３４によって、これらが所定方向に所定間隔で係合するラチェット構造からなる傾き補正装置１０のスライド停止位置決定手段が構成されている。本例においては、凹部２４および凸部３４が細かいピッチで形成されているので、キャップ部３０のカップリング部２０に対するスライド停止位置は、例えば０．５ｍｍ刻みやそれ以下の細かいピッチで段階的に（例えば、４段階に）調整することができる構成となっている。
【００３２】
このように構成された傾き補正装置１０を用いた照明器具のバランスの調整は、次のように行われる。まず、図５（ａ）に示すように、傾き補正装置１０が取り付けられた照明器具本体を天井に吊り下げたときに、この照明器具本体のセード９が、例えばＡ点側が下方に下がった状態となっていることとする。
【００３３】
この場合、傾き補正装置１０のカップリング部２０を、矢印方向に回動させてマーク３７がＡ点方向を向くように調整する。次に、図５（ｂ）に示すように、キャップ部３０をカップリング部２０に対して矢印方向にスライドさせ、セード９の傾きがなくなる状態となる停止位置まで移動させる。
【００３４】
このときのキャップ部３０のカップリング部２０に対するスライド停止位置は、スライド停止位置決定手段を構成する凹部２４および凸部３４の係合状態により適宜決定されるので、これらの設定寸法等が細かければ細かい程、調整ピッチを細かくして微調整を行うことができる。
【００３５】
また、キャップ部３０のコード挿通孔３１の内周面が例えばコード８の外周面と摺接しているため、コード８を損傷しない程度にコード８の照明器具本体４に対する軸中心をずらした状態とすることができ、この状態でキャップ部３０のスライド停止位置を維持したままバランス調整された照明器具本体４を天井から吊り下げられた状態とすることができる。
【００３６】
以上述べたように、この実施形態にかかる照明器具の傾き補正装置１０は、樹脂成形部材からなるカップリング部２０およびキャップ部３０により所定規格の寸法等をもって構成されているため、安価に製造可能で汎用性が高い。また、カップリング部２０を回動させ、キャップ部３０をスライドさせるだけで傾きを補正することができるため、容易に照明器具のバランスの調整作業を行うことができる。さらに、調整ピッチが細かいスライド停止位置決定手段によってキャップ部３０のカップリング部２０に対するスライド停止位置を決定することができるので、照明器具のバランス調整の微調整で行うことができる。
【００３７】
なお、本発明にかかる照明器具の傾き補正装置１０は、上述した実施形態に記載されたものに限定されるものではなく、本発明の要旨を逸脱しない範囲内において種々の改良、変更等が可能である。例えば、傾き補正装置１０の各部の寸法や材料、形状等を適宜変更して構成することもできる。
【００３８】
具体的には、例えばスライド停止位置決定手段を一対の矩形孔２２および一対の係止片３２の少なくとも一組の対向面に形成された凹部２４および凸部３４によって構成したり、矩形孔２２に形成された凸部３４と係止片３２に形成された凹部２４とによって構成したりすることも可能である。また、カップリング部２０に上壁部２３から上方に延出する一対の係止片３２を形成し、キャップ部３０に一対の矩形孔２２を形成して、これらに凹部２４および凸部３４を設けてスライド停止位置決定手段を構成するようにしてもよい。
【符号の説明】
【００３９】
１          照明ユニット
４          照明器具本体
５          波座金（ウェーブワッシャー）
６          取付ナット
７          パイプ
７ａ        ネジ山
８          コード
９          セード（笠部）
１０        傾き補正装置
２０        カップリング部
２１        取付孔
２２        矩形孔
２３        上壁部
２４        凹部
２５，２７  ネジ部
２６，３６  周壁部
３０        キャップ部
３１        コード挿通孔
３２        係止片
３２ａ      舌片部
３３        キャップ本体部
３４        凸部
３５        係止突起部
【図１】
0005471329.tif 000002
【図２】
0005471329.tif 000003
【図３】
0005471329.tif 000004
【図４】
0005471329.tif 000005
【図５】
0005471329.tif 000006